(57)【要約】【課題】  本発明はインタフェースパッケージ（以下、「パッケージ」という）のストッパ機構に係り、背面側に外線ケーブルが接続されたままパッケージを通信機器装置から抜き去ってしまう不具合を解消したストッパ機構を提供することを目的とする。【解決手段】  通信機器装置に搭載する各種パッケージの背面側に、後方へ突出するストッパ片を取り付け、前記通信機器装置の背面板に、前記ストッパ片が挿通する挿通孔と、各パッケージの背面側に装着されたインタフェースコネクタが挿通する挿通孔を設けると共に、前記ストッパ片が掛止可能なストッパ板を上下方向へ移動可能に取り付け、前記ストッパ板は、前記挿通孔を挿通したインタフェースコネクタに接続された外線ケーブルのケーブルコネクタに下方への移動が規制されて前記ストッパ片が掛止し、前記インタフェースコネクタからのケーブルコネクタの取り外しで下方へ移動して、前記ストッパ片との掛止状態が解除されることを特徴とする。【選択図】    図１
2010003481.tif 000002
【特許請求の範囲】
【請求項１】
通信機器装置に搭載する各種インタフェースパッケージの背面側に、後方へ突出するストッパ片を取り付け、
前記通信機器装置の背面板に、前記ストッパ片が挿通する挿通孔と、各インタフェースパッケージの背面側に装着されたインタフェースコネクタが挿通する挿通孔を設けると共に、前記ストッパ片が掛止可能なストッパ板を上下方向へ移動可能に取り付け、
前記ストッパ板は、前記挿通孔を挿通したインタフェースコネクタに接続された外線側ケーブルのケーブルコネクタに下方への移動が規制されて前記ストッパ片が掛止し、
前記インタフェースコネクタからのケーブルコネクタの取り外しで下方へ移動して、前記ストッパ片との掛止状態が解除されることを特徴とするインタフェースパッケージのストッパ機構。
【請求項２】
前記ストッパ片を、インタフェースパッケージに回り止め固定したことを特徴とする請求項１に記載のインタフェースパッケージのストッパ機構。
【請求項３】
前記ストッパ板の左右に扇形状の長孔からなるネジ挿通孔を上下方向に設け、該ストッパ板を、前記ネジ挿通孔を挿通して前記背面板にネジ止めされた左右２本のネジで支持したことを特徴とする請求項１に記載のインタフェースパッケージのストッパ機構。
【請求項４】
前記ネジに、前記ストッパ板の板厚よりも厚いスペーサ管を取り付けたことを特徴とする請求項３に記載のインタフェースパッケージのストッパ機構。
【請求項５】
前記ネジが螺着する前記背面板のネジ孔の周縁部に、前記インタフェースコネクタの背面板からの飛び出し寸法を吸収する圧入スペーサを取り付けたことを特徴とする請求項３または請求項４に記載のインタフェースパッケージのストッパ機構。
【請求項６】
前記ストッパ板に、前記ケーブルコネクタが係合する切欠きを設けたことを特徴とする請求項１乃至請求項５のいずれか１項に記載のインタフェースパッケージのストッパ機構。
【請求項７】
前記ストッパ板に、前記ストッパ片が挿通，掛止する切欠きを設けたことを特徴とする請求項１乃至請求項６のいずれか１項に記載のインタフェースパッケージのストッパ機構。
【請求項８】
前記ストッパ板を、透明な樹脂材料で形成したことを特徴とする請求項１乃至請求項７のいずれか１項に記載のインタフェースパッケージのストッパ機構。
【請求項９】
前記インタフェースコネクタとケーブルコネクタとの接続部のストッパ板に、背面板の表示の視認用切欠きを設けたことを特徴とする請求項１乃至請求項７のいずれか１項に記載のインタフェースパッケージのストッパ機構。
【発明の詳細な説明】
【技術分野】
【０００１】
本発明は、通信機器装置に搭載された各種インタフェースパッケージの不用意な抜き去り作業を防止したインタフェースパッケージのストッパ機構に関する。
【背景技術】
【０００２】
図１１及び図１２に示すように、従来、通信機器装置１に搭載される各種インタフェースパッケージ（以下、「パッケージ」という）３，５，７，９，１１は、増設，保守交換等の観点から通信機器装置１より容易に着脱可能とするため、主にプラグイン構造を採用している。
【０００３】
そして、各種パッケージ３，５，７，９，１１は、通信機器装置１に対向配置される他の装置と接続するための各種インタフェースコネクタ１３，１５，１７，１９，２１を背面側に有しており、該インタフェースコネクタ１３，１５，１７，１９，２１に直接外線ケーブル（図示せず）を接続して運用する構造が主流となっている。
【０００４】
ところで、このように外線ケーブルが直接パッケージ３，５，７，９，１１に接続されている場合に、通信機器装置１からパッケージ３，５，７，９，１１を抜き去るには、パッケージ３，５，７，９，１１の背面側に接続されている外線ケーブルを予め取り外した後、通信機器装置１の前面から抜き去る必要がある。
【０００５】
しかし乍ら、実際問題として、接続された外線ケーブルを取り外さずにパッケージ３，５，７，９，１１の抜き去り作業を行ってしまうことがあり、この場合、外線ケーブルの損傷や断線，インタフェースコネクタ１３，１５，１７，１９，２１の損傷及び通信切断等のような重大事故に繋がる虞があった。
【０００６】
このため、従来の通信機器装置１では、使用者，保守者に対してパッケージ３，５，７，９，１１の抜き去り操作に関する注意を促す図１３の警告ラベル２３を、図１１に示すように装置前面に貼り付けて表示したり、また、取扱説明書にてパッケージ３，５，７，９，１１の抜き去り操作に対する注意を記載したりしている。
【０００７】
更に、構造的対策例として、パッケージ３，５，７，９，１１を通信機器装置１に搭載後、図１２に示すように通信機器装置１の背面板２５にパッケージ３，５，７，９，１１を固定ネジ２７でネジ止めする等の構造対策を行っているが、ネジ止めを忘れてしまう虞があり、既述した事故に繋がる危険性があった。
【０００８】
尚、特許文献１，２には、電気・電子装置等に接続した電源ケーブルのプラグの抜け防止を図ったコンセントとプラグやプラグ固定体等が開示されている。
【特許文献１】特開２００３−１４２２０２号公報
【特許文献２】特開２００５−３４７０７９号公報
【発明の開示】
【発明が解決しようとする課題】
【０００９】
而して、特許文献１，２に開示された従来例によれば、装置の稼働中の不用意なプラグの抜去を防止して内部機器の損傷を防ぐことは可能であるが、これらの従来例は、あくまで装置の稼働中に電源ケーブルが抜けてしまうことを防止するためのものである。
【００１０】
このため、これらの従来例を前記インタフェースコネクタと外線ケーブルとの接続部位に用いても、パッケージの抜き去りの際に、背面側に外線ケーブルが接続されたままパッケージを通信機器装置から抜き去ってしまう不具合を解決することはできなかった。
【００１１】
本発明は斯かる実情に鑑み案出されたもので、パッケージの抜き去りの際に、背面側に外線ケーブルが接続されたままパッケージを通信機器装置から抜き去ってしまう不具合を解消したパッケージのストッパ機構を提供することを目的とする。
【課題を解決するための手段】
【００１２】
斯かる目的を達成するため、請求項１に係るパッケージのストッパ機構は、通信機器装置に搭載する各種パッケージの背面側に、後方へ突出するストッパ片を取り付け、前記通信機器装置の背面板に、前記ストッパ片が挿通する挿通孔と、各パッケージの背面側に装着されたインタフェースコネクタが挿通する挿通孔を設けると共に、前記ストッパ片が掛止可能なストッパ板を上下方向へ移動可能に取り付け、前記ストッパ板は、前記挿通孔を挿通したインタフェースコネクタに接続された外線ケーブルのケーブルコネクタに下方への移動が規制されて前記ストッパ片が掛止し、前記インタフェースコネクタからのケーブルコネクタの取り外しで下方へ移動して、前記ストッパ片との掛止状態が解除されることを特徴とする。
【００１３】
そして、請求項２に係る発明は、請求項１に記載のパッケージのストッパ機構に於て、前記ストッパ片を、パッケージに回り止め固定したことを特徴とし、請求項３に係る発明は、請求項１に記載のパッケージのストッパ機構に於て、前記ストッパ板の左右に扇形状の長孔からなるネジ挿通孔を上下方向に設け、該ストッパ板を、前記ネジ挿通孔を挿通して前記背面板にネジ止めされた左右２本のネジで支持したことを特徴とする。
【００１４】
また、請求項４に係る発明は、請求項３に記載のパッケージのストッパ機構に於て、前記ネジに、前記ストッパ板の板厚よりも厚いスペーサ管を取り付けたことを特徴とする。
【００１５】
一方、請求項５に係る発明は、請求項３または請求項４に記載のパッケージのストッパ機構に於て、前記ネジが螺着する前記背面板のネジ孔の周縁部に、前記インタフェースコネクタの背面板からの飛び出し寸法を吸収する圧入スペーサを取り付けたことを特徴とし、請求項６に係る発明は、請求項１乃至請求項５のいずれか１項に記載のパッケージのストッパ機構に於て、前記ストッパ板に、前記ケーブルコネクタが係合する切欠きを設けたことを特徴とする。
【００１６】
そして、請求項７に係る発明は、請求項１乃至請求項６のいずれか１項に記載のパッケージのストッパ機構に於て、前記ストッパ板に、前記ストッパ片が挿通，掛止する切欠きを設けたことを特徴とし、請求項８に係る発明は、請求項１乃至請求項７のいずれか１項に記載のパッケージのストッパ機構に於て、前記ストッパ板を透明な樹脂材料で形成したことを特徴とする。
【００１７】
更に、請求項９に係る発明は、請求項１乃至請求項７のいずれか１項に記載のパッケージのストッパ機構に於て、前記インタフェースコネクタとケーブルコネクタとの接続部のストッパ板に、背面板の表示の視認用切欠きを設けたことを特徴としている。
【発明の効果】
【００１８】
請求項１に係る発明によれば、通信機器装置の背面側に接続した外線ケーブルのケーブルコネクタを取り外さなければ、通信機器装置の前面からパッケージを抜き去ることできないため、増設や保守交換等を行う作業者は、確実にケーブルコネクタの取り外しを行うこととなる。
【００１９】
従って、本発明によれば、外線ケーブルの損傷や断線，インタフェースコネクタの損傷及び通信切断等のような重大事故に繋がる危険を回避することが可能となった。
【００２０】
一方、請求項２に係る発明は、ストッパ片をパッケージに回り止め固定したため、作業者がパッケージを強い力で抜き去ろうとして強い力を掛けてもストッパ片が回転してがたつくことがなく、この結果、ストッパ片がストッパ板に確実に掛止する利点を有する。
【００２１】
そして、請求項３に係る発明は、ネジ挿通孔を扇形状の長孔とすることでストッパ板のスムーズな下方移動を可能としたため、ストッパ板が途中で引っ掛かることなく下方へ移動し、ストッパ片とストッパ板との掛止状態を確実に解除することができる利点を有する。
【００２２】
また、請求項４に係る発明は、ストッパ板を背面板に取り付けるネジにストッパ板の板厚よりも厚いスペーサ管を取り付けたので、ネジを締め付けてもストッパ板を押さえ込むことがなく、ネジ挿通孔に沿ってストッパ板が上下方向にスムーズに移動できる利点を有する。
【００２３】
更にまた、請求項５に係る発明は背面板のネジ孔の周縁部に、背面板からのインタフェースコネクタの飛び出し寸法を吸収する圧入スペーサを取り付けたため、使用されるインタフェースコネクタの飛び出し寸法に柔軟に対応することができる。
【００２４】
そして、請求項６及び請求項７に係る発明によれば、ストッパ板にケーブルコネクタが係合する切欠きやストッパ片が挿通，掛止する切欠きを設けてストッパ板を横Ｓ字形状とすることで、パッケージの高さ寸法内にストッパ板が収まる省スペース化が可能となった。
【００２５】
また、請求項８及び請求項９に係る発明によれば、ケーブルコネクタの接続に当たり、背面板のインタフェースコネクタの差し込み口に表示されたコネクタの接続名称が容易に視認できるようにしたので、コネクタの接続ミスを防ぐことが可能となった。
【発明を実施するための最良の形態】
【００２６】
以下、本発明の実施形態を図面に基づいて詳細に説明する。
【００２７】
図１は請求項１乃至請求項８の一実施形態に係るパッケージのストッパ機構を示し、図中、３１は通信機器装置（図示せず）に搭載されたパッケージ３３のプリント基板、３５は通信機器装置の背面板で、パッケージ３３の背面側にインタフェースコネクタ３７が具備されている。
【００２８】
更に、パッケージ３３の背面側（プリント基板３１の後端側）には、後述するストッパ板３９に設けた切欠き４１の周縁部に掛止するストッパ片４３が取り付けられている。
【００２９】
図１及び図２に示すようにストッパ片４３は断面Ｌ字状に形成され、そのパッケージ取付面４３ａがプリント基板３１にネジ止めまたはリベット固定されている。更に、パッケージ取付面４３ａには、プリント基板３１に設けた係止孔４５に係止する折曲片４３ｂが下方へ折曲して設けられており、斯様に折曲片４３ｂが係止孔４５に係止して、プリント基板３１への取付け後のストッパ片４３の回転防止が図られている。そして、断面Ｌ字状に形成されたストッパ片４３のストッパ本体４３ｃは側面視略コ字状に形成されて、その先端に設けた鍵型形状の掛止爪４３ｄが、切欠き４１の周縁部に掛止するようになっている。
【００３０】
尚、前記折曲片４３ｂと係止孔４５との係止構造に代え、一例としてパッケージ取付面４３ａの前後２箇所をプリント基板３１にネジ止めまたはリベット固定して、ストッパ片４３の回り止めを図ってもよい。
【００３１】
また、図１中、４７は前記インタフェースコネクタ３７に接続する外線ケーブル４９のケーブルコネクタで、前記背面板３５にはインタフェースコネクタ３７の外形形状に沿った挿通孔５１が設けられており、該挿通孔５１を挿通したインタフェースコネクタ３７にケーブルコネクタ４７が接続できるようになっている。
【００３２】
そして、前記背面板３５の表面には、前記挿通孔４７の斜め上方の左右にネジ孔（図示せず）が設けられ、両ネジ孔の周縁部に筒状の圧入スペーサ５３がネジ孔と中心軸を同じくして取り付けられている。
【００３３】
図２に示すように圧入スペーサ５３は、前記挿通孔５１（背面板３５）からのインタフェースコネクタ３７の飛び出し寸法を吸収するもので、圧入スペーサ５３の厚さを可変とすることで、使用されるインタフェースコネクタ３７の飛び出し寸法に対応可能となっている。そして、図１及び図２に示すように前記ネジ孔に螺着した２本のネジ５５を介して、前記背面板３５にストッパ板３９が上下方向へ移動可能に取り付けられている。
【００３４】
ストッパ板３９は、背面板３５のインタフェースコネクタ３７の差し込み口に表示されたコネクタの接続名称（図示せず）が視認できるように透明な樹脂材料で形成されており、図１に示すようにストッパ板３９の左右には、前記ネジ５５が挿通する長孔形状のネジ挿通孔５７が上下方向に設けられている。そして、ネジ５５には、ストッパ板３９の板厚よりも厚いスペーサ管５９が取り付けられており、斯様にスペーサ管５９を使用することで、ネジ５５を締め付けてもストッパ板３９を押さえ込むことなく前記ネジ挿通孔５７に沿ってストッパ板３９が上下方向に移動できる構造となっている。
【００３５】
そして、図３及び図４に示すようにネジ挿通孔５７は、上方側をその内側に孔を拡大した扇形状に形成されている。
【００３６】
即ち、既述したように前記ストッパ板３９はネジ挿通孔５７に沿って上下方向に移動する構造となっているが、何らかの拍子で図４の如くストッパ板３９が一方にずれて下がることがある。
【００３７】
而して、このような場合、図５に示すようにネジ挿通孔５７-1を直線的な長孔形状にしてしまうと、図６の如くストッパ板３９が一方にずれて下がった場合に、ネジ挿通孔５７-1の内側直線部分５７-2にネジ５５（スペーサ管５９）が当たって引っ掛かってしまい、ストッパ板３９のスムーズな下方移動が行えなくなる。
【００３８】
そこで、本実施形態は、図４に示すようにストッパ板３９が一方にずれて下がった場合でも、ネジ挿通孔５７を、一方のネジ５５を軸に回転する内周径に合わせた扇形状の長孔とすることで、ネジ５５（スペーサ管５９）の当たりをなくして、ストッパ板３９のスムーズな下方移動を可能としている。
【００３９】
更に、図１及び図２に示すように前記背面板３５には、前記ストッパ片４３のストッパ本体４３ｃが挿通する挿通孔６１が設けられている。そして、該挿通孔６１を挿通したストッパ本体４３ｃの先端の掛止爪４３ｄが、ストッパ板３９の上部に設けた切欠き４１の周縁部に掛止するようになっている。
【００４０】
一方、ストッパ板３９の下部には、前記ケーブルコネクタ４７が突き当たらないように切欠き６３が設けられており、前記切欠き４１と切欠き６３を設けてストッパ板３９を横Ｓ字形状とすることで、パッケージ３３の高さ寸法内にストッパ板３９が収まる省スペース化構造としている。
【００４１】
そして、図７に示すようにケーブルコネクタ４７がインタフェースコネクタ３７に接続されているとき、前記切欠き６３を介してストッパ板３９がケーブルコネクタ４７の上面に載ってストッパ板３９が持ち上がり、このとき、図８に示すようにストッパ本体４３ｃの掛止爪４３ｄがストッパ板３９の切欠き４１の周縁部に掛止している。
【００４２】
従って、通信機器装置の前面からパッケージ３３を抜き去ろうとしても、掛止爪４３ｄが切欠き４１の周縁部に掛止しているため、パッケージ３３を抜き去ることができない。
【００４３】
そして、図９に示すようにケーブルコネクタ４７をインタフェースコネクタ３７から取り外すと、ストッパ板３９がネジ挿通孔５７に沿って下方へ移動し、図１０の如く掛止爪４３ｄと切欠き４１の周縁部との掛止状態が解除されるようになっている。
【００４４】
従って、この状態で、通信機器装置の前面からパッケージ３３を抜き去ることが可能となる。
【００４５】
尚、ケーブルコネクタ４７をインタフェースコネクタ３７に接続するときは、ストッパ板３９をネジ挿通孔５７に沿って持ち上げればよく、このとき、挿通孔６１の周縁部にストッパ片４３のストッパ本体４３ｃが当接しないように寸法が設計されている。
【００４６】
本実施形態に係るストッパ機構６５はこのように構成されているから、前記背面板３５にストッパ板３９をネジ５５で取り付けるに当たり、スペーサ管５９を使用することで、ネジ５５を締め付けてもストッパ板３９を押さえ込むことなく前記ネジ挿通孔５７に沿ってストッパ板３９が上下方向に移動できることとなる。
【００４７】
また、背面板３５のネジ孔の周縁部に筒状の圧入スペーサ５３を取り付けることで、背面板３５からのインタフェースコネクタ３７の飛び出し寸法が吸収される。
【００４８】
そして、通信機器装置に搭載したパッケージ３３のインタフェースコネクタ３７に外線ケーブル４９のケーブルコネクタ４７を接続する場合、ストッパ板３９をネジ挿通孔５７に沿って持ち上げた後、図７に示すようにインタフェースコネクタ３７に外線ケーブル４９のケーブルコネクタ４７を接続すればよく、ストッパ板３９は透明な樹脂材料で形成されているため、ケーブルコネクタ４７の接続に当たり、背面板３５のインタフェースコネクタ３７の差し込み口に表示されたコネクタの接続名称が容易に視認できることとなる。
【００４９】
而して、斯様にケーブルコネクタ４７をインタフェースコネクタ３７に接続すると、図７に示すようにケーブルコネクタ４７が切欠き６３に係合してストッパ板３９がケーブルコネクタ４７の上面に載ってストッパ板３９が持ち上がり、このとき、図８に示すようにストッパ本体４３ｃの掛止爪４３ｄがストッパ板３９の切欠き４１の周縁部に掛止する。
【００５０】
従って、通信機器装置の前面からパッケージ３３を抜き去ろうとしても、掛止爪４３ｄが切欠き４１の周縁部に掛止しているため、パッケージ３３を抜き去ることができない。
【００５１】
また、作業者がパッケージ３３を強い力で抜き去ろうとして強い力を掛けても、パッケージ取付面４３ａに設けた折曲片４３ｂがプリント基板３１の係止孔４５に係止して取付け後のストッパ片４３の回転防止が図られているため、ストッパ片４３が回転してがたつくことがなく、掛止爪４３ｄが切欠き４１の周縁部に確実に掛止する。
【００５２】
そして、図９に示すようにケーブルコネクタ４７をインタフェースコネクタ３７から取り外すと、ストッパ板３９がネジ挿通孔５７に沿って下方へ移動し、図１０の如く掛止爪４３ｄと切欠き４１の周縁部との掛止状態が解除される。
【００５３】
従って、この状態で、通信機器装置の前面からパッケージ３３を抜き去ることが可能となる。そして、図３及び図４で説明したように本実施形態は、ネジ挿通孔５７を一方のネジ５５を軸に回転する内周径に合わせた扇形状の長孔とすることでストッパ板３９のスムーズな下方移動を可能としているため、ストッパ板３９が途中で引っ掛かることなく下方へ移動し、掛止爪４３ｄと切欠き４１の周縁部との掛止状態が確実に解除されることとなる。
【００５４】
(1)このように本実施形態に係るストッパ機構６５は、通信機器装置の背面側（パッケージ３３の背面側のインタフェースコネクタ３７）に接続したケーブルコネクタ４７を取り外さなければ、通信機器装置の前面からパッケージ３３を抜き去ることできないため、増設や保守交換等を行う作業者は、確実にケーブルコネクタ４７の取り外しを行うこととなる。
【００５５】
従って、本実施形態によれば、外線ケーブル４９の損傷や断線，インタフェースコネクタ３７の損傷及び通信切断等のような重大事故に繋がる危険を回避することが可能となった。
【００５６】
(2)また、本実施形態は、ストッパ片４３をパッケージ３３に回り止め固定したため、作業者がパッケージ３３を強い力で抜き去ろうとして強い力を掛けてもストッパ片４３が回転してがたつくことがなく、この結果、ストッパ片４３が切欠き４１の周縁部に確実に掛止する利点を有する。
【００５７】
(3)更に、本実施形態は、ネジ挿通孔５７を一方のネジ５５を軸に回転する内周径に合わせた扇形状の長孔とすることでストッパ板３９のスムーズな下方移動を可能としたため、ストッパ板３９が途中で引っ掛かることなく下方へ移動し、掛止爪４３ｄと切欠き４１の周縁部との掛止状態を確実に解除することができる利点を有する。
【００５８】
(4)更にまた、本実施形態は、ストッパ板３９を背面板３５に取り付けるネジ５５にストッパ板３９の板厚よりも厚いスペーサ管５９を取り付けたので、ネジ５５を締め付けてもストッパ板３９を押さえ込むことがなく、ネジ挿通孔５７に沿ってストッパ板３９が上下方向にスムーズに移動できることとなった。
【００５９】
(5)そして、背面板３５のネジ孔の周縁部に、背面板３５からの飛び出し寸法を吸収する圧入スペーサ５３を取り付けたため、使用されるインタフェースコネクタ３７の飛び出し寸法に柔軟に対応することができる。
【００６０】
(6)加えて、本実施形態は、ストッパ板３９にケーブルコネクタ４７が係合する切欠き６３と前記ストッパ片４３が挿通，掛止する切欠き４１を設けてストッパ板３９を横Ｓ字形状とした結果、パッケージ３３の高さ寸法内にストッパ板３９が収まる省スペース化が可能となった。
【００６１】
(7)而も、本実施形態は、ストッパ板３９を透明な樹脂材料で形成して、ケーブルコネクタ４７の接続に当たり、背面板３５のインタフェースコネクタ３７の差し込み口に表示されたコネクタの接続名称が容易に視認できるようにしたので、コネクタの接続ミスを防ぐことが可能となった。
【００６２】
尚、前記実施形態は、図７に示すように１個のインタフェースコネクタ３７が背面板３５に装着された場合について説明したが、例えば図１２のインタフェースコネクタ１３の如く横方向に２個装着される場合もある。
【００６３】
而して、このような場合には、図１の切欠き６３を横方向へ大きく形成して、２個のインタフェースコネクタがこの切欠きに係合可能とすればよい。
【００６４】
また、既述したように前記実施形態は、ストッパ板３９を透明な樹脂材料で形成して、背面板３５の差し込み口に表示されたコネクタの接続名称が容易に視認できるようにしたが、請求項９の一実施形態の如くストッパ板を鋼板で形成して、該ストッパ板に背面板の表示の視認用の切欠きを設けてもよい。
【００６５】
而して、この実施形態によっても、前記実施形態と同様、コネクタの接続ミスを防ぐことが可能である。
【図面の簡単な説明】
【００６６】
【図１】請求項１乃至請求項８の一実施形態に係るパッケージのストッパ機構の分解斜視図である。
【図２】ストッパ機構の平面図である。
【図３】ストッパ板の下方移動図である。
【図４】ネジ挿通孔の詳細説明図である。
【図５】ストッパ板の下方移動図である。
【図６】ネジ挿通孔の詳細説明図である。
【図７】ストッパ機構の作動状態の説明図である。
【図８】ストッパ機構の断面図である。
【図９】ストッパ機構の非作動状態の説明図である。
【図１０】ストッパ機構の断面図である。
【図１１】従来の通信機器装置の正面図である。
【図１２】従来の通信機器装置の背面図である。
【図１３】注意警告ラベルの正面図である。
【符号の説明】
【００６７】
３１  プリント基板
３３  パッケージ
３５  背面板
３７  インタフェースコネクタ
３９  ストッパ板
４１，６３  切欠き
４３  ストッパ片
４３ａ  パッケージ取付面
４３ｂ  折曲片
４３ｃ  ストッパ本体
４３ｄ  掛止爪
４５  係止孔
４７  ケーブルコネクタ
４９  外線ケーブル
５１，６１  挿通孔
５３  圧入スペーサ
５５  ネジ
５７  ネジ挿通孔
５９  スペーサ管
６５  ストッパ機構
【図１】
2010003481.tif 000003
【図２】
2010003481.tif 000004
【図３】
2010003481.tif 000005
【図４】
2010003481.tif 000006
【図５】
2010003481.tif 000007
【図６】
2010003481.tif 000008
【図７】
2010003481.tif 000009
【図８】
2010003481.tif 000010
【図９】
2010003481.tif 000011
【図１０】
2010003481.tif 000012
【図１１】
2010003481.tif 000013
【図１２】
2010003481.tif 000014
【図１３】
2010003481.tif 000015